(57)【要約】【課題】回転子による回転動作の安定性を向上させるとともに、回転子の外周部における磁気飽和の緩和および回転子の重心位置の調整を可能にする。【解決手段】回転子（11）は、電磁鋼で構成された回転子コア（101）と、永久磁石（102,102,…）とを有している。固定子（12）は、回転子（11）が挿通されている。回転子コア（101）は、コア本体部（111）およびコア延伸部（112）を有している。コア本体部（111）には、永久磁石（102,102,…）をそれぞれ収容する磁石スロット（S111,S111,…）が形成され、コア延伸部（112）には、空隙スロット（S112,S112,…）が形成されている。空隙スロット（S112,S112,…）のうち少なくとも１つには、錘部材（103）が収容されている。【選択図】図３
2013207977.tif 000002
【特許請求の範囲】
【請求項１】
電磁鋼で構成された回転子コア（101）と複数の永久磁石（102）とを有する回転子（11）と、
上記回転子（11）が挿通される固定子（12）とを備え、
上記回転子コア（101）は、コア本体部（111）と、該回転子（11）の回転軸方向において該コア本体部（111）に隣接するコア延伸部（112）とを有し、
上記コア本体部（111）には、上記複数の永久磁石（102）をそれぞれ収容する複数の磁石スロット（S111）が形成され、
上記コア延伸部（112）には、複数の空隙スロット（S112）が形成され、
上記複数の空隙スロット（S112）のうち少なくとも１つには、錘部材（103）が収容されている
ことを特徴とする回転電気機械。
【請求項２】
請求項１において、
上記コア本体部（111）は、上記回転子（11）の回転軸方向に積層された複数の積層板（P1）によって構成され、
上記コア延伸部（112）は、上記回転子（11）の回転軸方向に積層された複数の積層板（P2）によって構成され、
上記コア延伸部（112）を構成する積層板（P2）は、上記コア本体部（111）を構成する積層板（P2）と同一である
ことを特徴とする回転電気機械。
【請求項３】
請求項１または２において、
上記錘部材（103）は、上記電磁鋼よりも重い材料で構成されている
ことを特徴とする回転電気機械。
【請求項４】
請求項１〜３のいずれか１項に記載の回転電気機械（10）と、
一端部に上記回転電気機械（10）の回転子（11）が固定された駆動軸（20）と、
上記駆動軸（20）の他端部に設けられた圧縮機構（30）とを備えている
ことを特徴とする圧縮機。
【発明の詳細な説明】
【技術分野】
【０００１】
この発明は、回転電気機械に関し、特に、回転電気機械の回転子構造に関する。
【背景技術】
【０００２】
従来より、電動機や発電機などの回転電気機械では、回転電気機械の負荷変動により回転動作が不安定になってしまう場合がある。例えば、単一の回転子からなるシングルロータリ圧縮機では、吸入・圧縮・排出行程における負荷変動により、非定常時や低回転数での運転時において回転動作が不安定になり、その結果、シャフトに振動が発生する場合がある。そこで、特許文献１の圧縮機では、回転子またはシャフトに錘部を設置することにより、シャフトの回転軸周りの慣性モーメントを増加させ、シャフトを安定的に回転させている。
【先行技術文献】
【特許文献】
【０００３】
【特許文献１】特開２００６−１４４６０２号公報
【発明の概要】
【発明が解決しようとする課題】
【０００４】
しかしながら、特許文献１の圧縮機では、回転子の外周部において磁気飽和が発生しやすくなっていた。また、錘部に加工（穴あけ加工）を施すことによって回転子の重心位置を設定しているので、回転子の重心位置を調整することが困難であった。
【０００５】
そこで、この発明は、回転子による回転動作の安定性を向上させることができるとともに、回転子の外周部における磁気飽和の緩和および回転子の重心位置の調整を実現可能な回転電気機械を提供することを目的とする。
【課題を解決するための手段】
【０００６】
第１の発明は、電磁鋼で構成された回転子コア（101）と複数の永久磁石（102）とを有する回転子（11）と、上記回転子（11）が挿通される固定子（12）とを備え、上記回転子コア（101）は、コア本体部（111）と、該回転子（11）の回転軸方向において該コア本体部（111）に隣接するコア延伸部（112）とを有し、上記コア本体部（111）には、上記複数の永久磁石（102）をそれぞれ収容する複数の磁石スロット（S111）が形成され、上記コア延伸部（112）には、複数の空隙スロット（S112）が形成され、上記複数の空隙スロット（S112）のうち少なくとも１つには、錘部材（103）が収容されていることを特徴とする回転電気機械である。
【０００７】
上記第１の発明では、コア延伸部（112）を設けることにより、回転子（11）の回転軸周りの慣性モーメントを増加させることができ、空隙スロット（S112）に錘部材（103）を収容することにより、回転子（11）の回転軸周りの慣性モーメントをさらに増加させることができる。また、回転子コア（101）を電磁鋼で構成することにより、コア本体部（111）だけでなくコア延伸部（112）にも磁束を通過させることができる。さらに、空隙スロット（S112）を設けることにより、回転子（11）に錘部材（103）を配置することができる。
【０００８】
第２の発明は、上記第１の発明において、上記コア本体部（111）は、上記回転子（11）の回転軸方向に積層された複数の積層板（P1）によって構成され、上記コア延伸部（112）は、上記回転子（11）の回転軸方向に積層された複数の積層板（P2）によって構成され、上記コア延伸部（112）を構成する積層板（P2）は、上記コア本体部（111）を構成する積層板（P1）と同一であることを特徴とする回転電気機械である。
【０００９】
上記第２の発明では、コア本体部（111）を構成する積層板（P1）と同一の積層板（P2）を用いてコア延伸部（112）を構成することができる。また、複数の積層板（P2）を積層してコア延伸部（112）を構成することにより、横断面形状（回転子（11）の軸方向の断面の形状）が一定となるように空隙スロット（S112）を形成することができる。そのため、横断面形状が一定となるように錘部材（103）を形成することができる。
【００１０】
第３の発明は、上記第１または第２の発明において、上記錘部材（103）は、上記電磁鋼よりも重い材料で構成されていることを特徴とする回転電気機械である。
【００１１】
上記第３の発明では、錘部材（103）を電磁鋼よりも重い材料で構成することにより、回転子（11）の総重量を増加させることができるので、回転子（11）の回転軸周りの慣性モーメントを維持しつつ、コア延伸部（112）の軸方向長さを短縮することができる。
【００１２】
第４の発明は、上記第１〜第３の発明のいずれか１つの発明の回転電気機械（10）と、一端部に上記回転電気機械（10）の回転子（11）が固定された駆動軸（20）と、上記駆動軸（20）の他端部に設けられた圧縮機構（30）とを備えていることを特徴とする圧縮機である。
【００１３】
上記第４の発明では、回転子（11）による回転動作の安定性を向上させることができるとともに、回転子コア（101）の外周部における磁気飽和の緩和および回転子（11）の重心位置の調整を実現することができる。これにより、回転電気機械（10）の駆動効率を向上させることができる。
【発明の効果】
【００１４】
第１の発明によれば、回転子（11）の回転軸周りの慣性モーメントを増加させることができるので、回転子（11）による回転動作の安定性を向上させることができる。また、コア本体部（111）だけでなくコア延伸部（112）にも磁束を通過させることができるので、回転子コア（101）の外周部における磁気飽和を緩和することができる。さらに、錘部材（103）の形状や配置を変更することにより、回転子（11）の重心位置を調整することができる。
【００１５】
第２の発明によれば、コア本体部（111）を構成する積層板（P1）と同一の積層板（P2）を用いてコア延伸部（112）を構成することにより、積層板（P2）を利用せずにコア延伸部（112）を別途形成する場合よりも、コア延伸部（112）を容易に形成することができる。また、横断面形状が一定となるように錘部材（103）を形成することができるので、錘部材（103）を円柱状に形成する場合よりも、錘部材（103）を容易に形成することができる。
【００１６】
第３の発明によれば、回転子（11）の回転軸周りの慣性モーメントを維持しつつ、コア延伸部（112）の軸方向長さを短縮することができるので、回転子（11）を小型化することができる。
【００１７】
第４の発明によれば、回転電気機械（10）の駆動効率を向上させることができるので、圧縮機（1）の駆動効率を向上させることができる。
【図面の簡単な説明】
【００１８】
【図１】回転電気機械を備える圧縮機の構成例について説明するための縦断面図。
【図２】回転電気機械の構成例について説明するための横断面図。
【図３】回転子の構成例について説明するための斜視図。
【図４】回転子の構成例について説明するための分解斜視図。
【図５】回転子の構成例について説明するための縦断面図。
【図６】回転子の変形例について説明するための分解斜視図。
【発明を実施するための形態】
【００１９】
以下、この発明の実施の形態を図面を参照して詳しく説明する。なお、図中同一または相当部分には同一の符号を付しその説明は繰り返さない。
【００２０】
〔圧縮機〕
図１は、この発明の実施形態による回転電気機械（10）を備えている圧縮機（1）の構成例を示している。圧縮機（1）は、例えば、空気調和機（図示を省略）に用いられ、空気調和機の室外機（図示を省略）に設置されている。圧縮機（1）は、回転電気機械（10）の他に、駆動軸（20）と、圧縮機構（30）と、ケーシング（40）とを備えている。回転電気機械（10）は、回転子（11）と、回転子（11）が挿通される固定子（12）とを備えている。ここでは、回転電気機械（10）は、電動機（より具体的には、埋込磁石型モータ）を構成している。回転電気機械（10）は、ケーシング（40）に収容され、駆動軸（20）を介して圧縮機構（30）を駆動するために用いられている。圧縮機構（30）は、スクロール型圧縮機構やロータリ型圧縮機構であっても良いし、その他の圧縮機構であっても良い。ここでは、回転電気機械（10）の回転子（11）は、駆動軸（20）の一端部に固定され、圧縮機構（30）は、駆動軸（20）の他端部に固定されている。
【００２１】
〔回転電気機械〕
図２は、回転電気機械（10）の横断面を示している。なお、以下の説明において、軸方向とは、回転軸方向であって、駆動軸（20）の軸心の方向をいい、径方向とは、駆動軸（20）の軸方向と直交する方向をいい、外周側とは、駆動軸（20）の軸心からより遠い側をいい、内周側とは、駆動軸（20）の軸心により近い側をいう。また、縦断面とは、軸方向に沿った断面をいい、横断面とは、軸方向に直交する断面をいう。
【００２２】
〈固定子〉
まず、固定子（12）の構成例について説明する。固定子（12）は、円筒状の固定子コア（201）と、コイル（202）とを備えている。固定子コア（201）は、電磁鋼板をプレス加工によって打ち抜いて積層板を作製し、複数の積層板を軸方向に積層することにより構成された積層コアである。固定子コア（201）は、バックヨーク部（211）と、複数のティース部（212,212,…）と、複数のツバ部（213,213,…）とを備えている。バックヨーク部（211）は、固定子コア（201）の外周部に形成され、円環状に形成されている。バックヨーク部（211）の外周は、ケーシング（40）の内面に固定されている。ティース部（212）は、バックヨーク部（211）の内周面から径方向に伸びる直方体状に形成されている。ティース部（212,212,…）の間には、コイル（202）が収容されるコイル用スロット（214,214,…）が形成されている。ティース部（212）には、いわゆる集中巻方式で、コイル（202）が巻回されている。すなわち、１つのティース部（212）ごとにコイル（202）が巻回され、巻回されたコイル（202）は、コイル用スロット（214）内に収容されている。これにより、ティース部（212,212,…）の各々において電磁石が形成される。ツバ部（213）は、ティース部（212）の内周側に連続形成されている。ツバ部（213）は、ティース部（212）よりも幅（周方向の長さ）が大きく構成され、内周側の面が円筒面に形成されている。ツバ部（213）の円筒面は、回転子（11）の外周面（円筒面）と所定の距離（エアギャップ（G））をもって対向している。
【００２３】
〈回転子〉
次に、図３〜図５を参照して、回転子（11）の構成例について説明する。図３は、回転子（11）の斜視図であり、図４は、回転子（11）の分解斜視図である。また、図５は、図３に示した回転子（11）のＶ−Ｖ線における断面を示している。回転子（11）は、電磁鋼で構成された回転子コア（101）と、複数の永久磁石（102,102,…）と、少なくとも１つの錘部材（ここでは、複数の錘部材（103,103,…））とを備えている。
【００２４】
《永久磁石》
永久磁石（102,102,…）は、希土類金属を用いた永久磁石（例えば、ネオジム鉄ボロン系の磁石や、フェライト磁石など）であり、互いに同一の形状を有している。ここでは、永久磁石（102,102,…）は、平板状に形成されている。
【００２５】
《錘部材》
錘部材（103,103,…）は、回転子コア（101）を構成する電磁鋼よりも重い材料（例えば、黄銅など）で構成され、互いに同一の形状を有している。ここでは、錘部材（103,103,…）は、平板状に形成されている。
【００２６】
《回転子コア》
回転子コア（101）は、コア本体部（111）およびコア延伸部（112）とを有している。コア本体部（111）およびコア延伸部（112）は、円柱状に形成され、コア延伸部（112）は、回転子（11）の軸方向においてコア本体部（111）に隣接している。
【００２７】
−コア本体部−
コア本体部（111）には、複数の磁石スロット（S111,S111,…）が形成されている。複数の磁石スロット（S111,S111,…）は、回転子（11）の軸心回りに所定のピッチ（ここでは、９０°ピッチ）で配置され、複数の永久磁石（102,102,…）をそれぞれ収容している。ここでは、コア本体部（111）は、電磁鋼板をプレス加工によって打ち抜いて積層板（P1）を作製し、複数の積層板（P1,P1,…）を軸方向に積層することにより構成されている。これにより、コア本体部（111）は、横断面形状が一定となるように構成されている。
【００２８】
また、複数の積層板（P1,P1,…）を積層してコア本体部（111）を構成することにより、磁石スロット（S111,S111,…）は、横断面形状が一定となるように形成されている。ここでは、磁石スロット（S111）は、概ねＵ字状の穴形状に形成されている。すなわち、磁石スロット（S111）は、平板状の永久磁石（102）を挿入可能な磁石挿入部（S111a）と、磁石挿入部（S111a）の両端部から外周側へ延びる２つのバリア部（S111b,S111b）とによって構成されている。
【００２９】
−コア延伸部−
コア延伸部（112）には、複数の空隙スロット（S112,S112,…）が形成されている。複数の空隙スロット（S112,S112,…）のうち少なくとも１つには、錘部材（103）が収容されている。ここでは、コア延伸部（112）は、コア本体部（111）と同様に、複数の積層板（P2,P2,…）を軸方向に積層することにより構成されている。これにより、コア延伸部（112）は、横断面形状が一定となるように構成されている。
【００３０】
また、ここでは、コア延伸部（112）を構成する積層板（P2）は、コア本体部（111）を構成する積層板（P1）と同一（より具体的には、形状および電磁鋼の種類が同一）である。すなわち、コア延伸部（112）は、コア本体部（111）を構成する積層板（P1）と同一の積層板（P2）を用いて構成されている。したがって、コア延伸部（112）の横断面形状は、コア本体部（111）の横断面形状と同様の形状となっている。より具体的には、複数の空隙スロット（S112,S112,…）は、回転子（11）の軸心回りに所定のピッチ（ここでは、９０°ピッチ）で配置され、錘部材（103,103,…）をそれぞれ収容している。
【００３１】
また、複数の積層板（P2,P2,…）を積層してコア延伸部（112）を構成することにより、空隙スロット（S112,S112,…）は、横断面形状が一定となるように形成されている。ここでは、空隙スロット（S112）は、磁石スロット（S111）と同様に、概ねＵ字状の穴形状に形成されている。すなわち、空隙スロット（S112）は、平板状の錘部材（103）を挿入可能な中央空隙部（S112a）と、中央空隙部（S112a）の両端部から外周側へ延びる２つの端部空隙部（S112b,S112b）とによって構成されている。
【００３２】
さらに、ここでは、コア延伸部（112）は、空隙スロット（S112,S112,…）が磁石スロット（S111,S111,…）にそれぞれ連通するように、コア本体部（111）に隣接している。より具体的には、コア延伸部（112）は、軸方向から見て空隙スロット（S112,S112,…）が磁石スロット（S111,S111,…）に一致するように、コア本体部（111）に隣接している。すなわち、１つの磁石スロット（S111）とそれに対応する１つの空隙スロット（S112）により、回転子コア（101）を軸方向に貫通する１つの回転子スロットが構成され、１つの永久磁石（102）と１つの錘部材（103）が、回転子（11）の軸方向に並ぶように１つの回転子スロットに収容されている。
【００３３】
なお、以下の説明では、コア本体部（111）を構成する積層板（P1）およびコア延伸部（112）を構成する積層板（P2）の総称を「回転子コア（101）を構成する積層板（P）」または「回転子コア（101）用の積層板（P）」と表記する。
【００３４】
《軸穴》
また、回転子コア（101）の中心（すなわち、コア本体部（111）およびコア延伸部（112）の各々の中心）には、軸穴（104）が形成されている。軸穴（104）には、焼き嵌めなどによって駆動軸（20）が固定されている。
【００３５】
《カシメ》
回転子コア（101）を構成する積層板（P）には、カシメ（105,105,…）が形成されている。軸方向に積層された複数の積層板（P,P,…）は、カシメ（105,105,…）によって固定されている。
【００３６】
〔効果〕
この実施形態による回転電気機械（10）では、コア延伸部（112）を設けることにより、回転子（11）の回転軸周りの慣性モーメントを増加させることができる。また、空隙スロット（S112,S112,…）のうち少なくとも１つに錘部材（103）を収容することにより、回転子（11）の回転軸周りの慣性モーメントをさらに増加させることができる。これにより、回転子（11）による回転動作の安定性を向上させることができる。
【００３７】
また、回転子コア（101）を電磁鋼で構成することにより、コア本体部（111）だけでなくコア延伸部（112）にも磁束を通過させることができる。これにより、回転子コア（101）の外周部における磁気飽和を緩和することができる。したがって、永久磁石（102）の磁束を有効に利用することができるので、回転電気機械（10）の回転性能を向上させることができる。
【００３８】
さらに、空隙スロット（S112）を設けることにより、回転子（11）に錘部材（103）を配置することができる。したがって、錘部材（103）の形状や配置を変更することにより、回転子（11）の重心位置を調整することができる。すなわち、錘部材（103）をバランスウェイトとして利用することができる。このように、回転子（11）の重心位置を調整することができるので、回転子（11）による回転動作の安定性をさらに向上させることができる。特に、圧縮機構（30）が偏心運動する場合に有効である。
【００３９】
以上のように、回転子（11）による回転動作の安定性を向上させることができるとともに、回転子コア（101）の外周部における磁気飽和の緩和および回転子（11）の重心位置の調整を実現することができるので、回転電気機械（10）の駆動効率を向上させることができる。これにより、回転電気機械（10）を備えている圧縮機（1）の駆動効率を向上させることができる。
【００４０】
〈コア延伸部の構造に関する効果〉
また、コア本体部（111）を構成する積層板（P1）と同一の積層板（P2）を用いてコア延伸部（112）を構成することにより、積層板（P2）を利用せずにコア延伸部（112）を別途形成する場合よりも、コア延伸部（112）を容易に形成することができる。さらに、複数の積層板（P2,P2,…）を積層してコア延伸部（112）を構成することにより、横断面形状が一定となるように空隙スロット（S112,S112,…）を形成することができる。そのため、横断面形状が一定となるように錘部材（103）を形成することができるので、錘部材（103）を円柱状に形成する場合（例えば、特許文献１の場合）よりも、錘部材（103）を容易に形成することができる。
【００４１】
また、電磁鋼板から回転子コア（101）用の積層板（P）と固定子コア（201）用の積層板とを同時に打ち抜いて、それらを積層して回転子コア（101）および固定子コア（201）をそれぞれ構成する場合、回転子コア（101）用の積層板（P）よりも固定子コア（201）用の積層板のほうが破損しやすく、回転子コア（101）用の積層板（P）の枚数が固定子コア（201）用の積層板の枚数よりも多くなる傾向にある。そのため、回転子コア（101）用の積層板（P）が余ってしまう場合がある。この実施形態による回転電気機械（10）では、余っている回転子コア（101）用の積層板（P）を用いてコア延伸部（112）を構成するが可能であるので、余っている回転子コア（101）用の積層板（P）を有効に利用できる。
【００４２】
なお、コア延伸部（112）を構成する積層板（P2）の形状（例えば、径や厚みなど）は、コア本体部（111）を構成する積層板（P1）の形状と同一であっても良いし、異なっていても良い。また、回転子コア（101）ではない別の回転子コア（例えば、回転子コア（101）用の積層板（P）よりも厚い積層板で構成された回転子コアや、回転子コア（101）用の積層板（P）よりも径が大きい積層板で構成された回転子コアなど）を構成する際に余った積層板を用いてコア延伸部（112）を構成しても良い。
【００４３】
〈錘部材の材料に関する効果〉
また、錘部材（103）を電磁鋼よりも重い材料で構成することにより、回転子（11）の総重量を増加させることができる。そのため、回転子（11）の回転軸周りの慣性モーメントを維持しつつ、コア延伸部（112）の軸方向長さ（D2）を短縮することができる。これにより、回転子コア（101）の軸方向長さ（D1+D2）を短縮することができるので、回転子（11）を小型化することができる。
【００４４】
〔コア本体部およびコア延伸部の連結〕
なお、コア延伸部（112）は、空隙スロット（S112,S112,…）が磁石スロット（S111,S111,…）にそれぞれ連通するように、コア本体部（111）に隣接していなくても良い。例えば、コア延伸部（112）は、軸方向から見て空隙スロット（S112,S112,…）が磁石スロット（S111,S111,…）に対して軸心回りに所定の角度だけずれた状態で、コア本体部（111）に隣接していても良い。このように構成するために、回転子コア（101）を構成する積層板（P）のカシメ（105,105,…）やボルト穴（図示を省略）の形成位置を適宜変更しても良い。
【００４５】
〔コア本体部およびコア延伸部の形状〕
コア延伸部（112）の形状は、コア本体部（111）の形状と同一であっても良いし、異なっていても良い。例えば、コア本体部（111）の軸方向長さ（D1）は、固定子コア（201）の軸方向長さ（D3）と同一であっても良いし、異なっていても良い。また、コア延伸部（112）の軸方向長さ（D1）は、コア本体部（111）の軸方向長さと同一であっても良いし、異なっていても良い。
【００４６】
〔コア本体部およびコア延伸部の材料〕
コア延伸部（112）を構成する電磁鋼の種類（例えば、構成材料の配合比率や磁気特性などに基づく分類）は、コア本体部（111）を構成する電磁鋼の種類と同一であっても良いし、異なっていても良い。例えば、コア本体部（111）を構成する電磁鋼よりも飽和磁束密度が高い電磁鋼でコア延伸部（112）を構成しても良い。
【００４７】
また、積層板（P1,P1,…）および積層板（P2,P2,…）を積層してコア本体部（111）およびコア延伸部（112）を構成する場合、コア延伸部（112）用の積層板（P2）を構成する電磁鋼の種類は、コア本体部（111）用の積層板（P1）を構成する電磁鋼の種類と同一であっても良いし、異なっていても良い。例えば、コア本体部（111）用の積層板（P1）を形成するための金型を用いて、コア本体部（111）用の電磁鋼板とは異なる種類の電磁鋼板をプレス加工することによって、コア延伸部（112）用の積層板（P2）を形成しても良い。
【００４８】
〔永久磁石および錘部材の形状〕
図６のように、永久磁石（102）および錘部材（103）は、円弧状に形成されていても良い。この場合、磁石スロット（S111）および空隙スロット（S112）は、永久磁石（102）および錘部材（103）の形状に対応するように、円弧状に形成されていても良い。なお、錘部材（103）の形状は、永久磁石（102）の形状と同一の形状であっても良いし、異なる形状であっても良い。例えば、空隙スロット（S112）が概ねＵ字状の穴形状に形成されている場合（図４の場合）、錘部材（103）は、平板状ではなく、空隙スロット（S112）の形状に対応した形状（より具体的には、概ねＵ字状の横断面形状）であっても良い。また、錘部材（103,103,…）は、互いに同一の形状を有していても良いし、互いに異なる形状を有していても良い。
【００４９】
〔回転子の磁極〕
また、図６のように、回転子（11）の磁極は、多層の永久磁石（すなわち、回転子（11）の径方向に配列された複数の永久磁石（102,102,…））によって構成されていても良い。この場合、磁石スロット（S111,S111,…）（または、空隙スロット（S112,S112,…））は、回転子（11）の径方向に複数の磁石スロット（S111,S111,…）（または、複数の空隙スロット（S112,S112,…））が配列されるように、回転子（11）の軸心回りに所定のピッチ（ここでは、９０°ピッチ）で配置されていても良い。
【００５０】
〔その他の実施形態〕
以上の説明において、回転電気機械（10）が電動機（より具体的には、埋込磁石型モータ）を構成している場合を例に挙げたが、回転電気機械（10）は、発電機を構成するものであっても良い。
【００５１】
また、以上の実施形態を適宜組み合わせて実施しても良い。以上の実施形態は、本質的に好ましい例示であって、本発明、その適用物、あるいはその用途の範囲を制限することを意図するものではない。
【産業上の利用可能性】
【００５２】
以上説明したように、上述の回転電気機械は、圧縮機に用いられる電動機などとして有用である。
【符号の説明】
【００５３】
１          圧縮機
１０        回転電気機械
１１        回転子
１２        固定子
２０        駆動軸
３０        圧縮機構
４０        ケーシング
１０１      回転子コア
１１１      コア本体部
１１２      コア延伸部
１０２      永久磁石
１０３      錘部材
Ｓ１１１    磁石スロット
Ｓ１１２    空隙スロット
【図１】
2013207977.tif 000003
【図２】
2013207977.tif 000004
【図３】
2013207977.tif 000005
【図４】
2013207977.tif 000006
【図５】
2013207977.tif 000007
【図６】
2013207977.tif 000008